(57)【要約】      （修正有）【課題】複数の異なる値下げ額や値下げ率に対応することができ、管理が簡単である値下げラベルおよび値下げラベルの貼付方法を提供する。【解決手段】裏面に粘着剤４が塗布され、商品タグ９に貼付されるタグ貼付領域１１と、裏面に異なる複数の値下げ情報６が互いに重ならないように上方から下方に向けて順次配列されて表示されている値下げ情報表示領域１２と、裏面に粘着剤４が塗布され、値下げ情報表示領域１２に貼付することで複数の値下げ情報６のいずれかを設定する情報設定貼付領域１３と、を順次具備するラベル基材２を設け、商品タグに貼付する際に、情報設定貼付領域１３によって設定された値下げ情報６のみが視認できる状態で貼付する。【選択図】図１
2008216888.tif 000002
【特許請求の範囲】
【請求項１】
商品タグに貼付する値下げラベルであって、
裏面に粘着剤が塗布され、前記商品タグに貼付されるタグ貼付領域と、
裏面に異なる複数の値下げ情報が互いに重ならないように上方から下方に向けて順次配列されて表示されている値下げ情報表示領域と、
裏面に前記粘着剤が塗布され、前記値下げ情報表示領域に貼付することで複数の前記値下げ情報のいずれかを設定する情報設定貼付領域と、を順次具備するラベル基材を有し、
前記商品タグに貼付する際に、前記情報設定貼付領域によって設定された前記値下げ情報のみが視認できる状態で貼付可能であることを特徴とする値下げラベル。
【請求項２】
設定する前記値下げ情報よりも下方に他の前記値下げ情報が配列されている場合には、前記情報設定貼付領域を設定する前記値下げ情報の直下の前記値下げ情報上に貼付させることで、設定する前記値下げ情報よりも下方に配列された前記値下げ情報を前記情報設定貼付領域と折り返された前記値下げ情報表示領域とによって隠すと共に、設定する前記値下げ情報よりも上方に他の前記値下げ情報が配列されている場合には、設定する前記値下げ情報よりも上方に配列された前記値下げ情報を前記商品タグによって隠すように前記タグ貼付領域を前記商品タグの裏面に貼付させることにより、前記情報設定貼付領域によって設定された前記値下げ情報のみが視認できる状態で前記商品タグに貼付可能であることを特徴とする請求項１記載の値下げラベル。
【請求項３】
前記値下げ情報表示領域は、前記ラベル基材の裏面に塗布された粘着剤および当該粘着剤に仮着されたセパレータを有し、前記セパレータに複数の前記値下げ情報が表示されていると共に、前記セパレータの隣接する前記値下げ情報間には、スリットが形成されていることを特徴とする請求項１記載の値下げラベル。
【請求項４】
前記値下げ情報表示領域には、透明性を有する透過部が設けられていると共に、透明な前記粘着剤が裏面に塗布されており、
前記透過部を前記値下げ情報表示領域の裏面に表示された複数の前記値下げ情報のいずれかに重ねて貼付して設定することを特徴とする請求項１記載の値下げラベル。
【請求項５】
商品タグに貼付する値下げラベルの貼付方法であって、
裏面に粘着剤が塗布され、前記商品タグに貼付されるタグ貼付領域と、裏面に異なる複数の値下げ情報が互いに重ならないように上方から下方に向けて順次配列されて表示されている値下げ情報表示領域と、裏面に前記粘着剤が塗布され、前記値下げ情報表示領域に貼付することで複数の前記値下げ情報のいずれかを設定する情報設定貼付領域と、を順次具備する前記値下げラベルを用い、
下端部に形成されている前記情報設定貼付領域を裏面側に折り返して前記値下げ情報表示領域の裏面に貼付することで複数の前記値下げ情報のいずれかを設定し、
前記情報設定貼付領域によって設定された前記値下げ情報のみが視認できる状態で前記商品タグに貼付することを特徴とする値下げラベルの貼付方法。
【発明の詳細な説明】
【技術分野】
【０００１】
本発明は、商品名や価格等の商品表記が表示された商品タグに貼付する値下げラベルおよび値下げラベルの貼付方法に関し、特に商品タグに表示された商品表記に値下げ額や値下げ率等の値下げ情報を付加するために用いられる値下げラベルおよび値下げラベルの貼付方法に関する。
【背景技術】
【０００２】
アパレル等の商品販売において、販売促進のためにセールを行う場合、商品名や価格等の商品表記が表示された商品タグに、値下げ額や値下げ率等の値下げ情報を付加することが行われている。値下げ情報を付加する方法としては、例えば、値下げ情報が表示された値下げラベルの上部に両側がくびれた差込み部を形成し、この差込み部を差込むスリットを商品タグに形成し、値下げラベルを、商品タグに対して着脱可能にしたものが提案されている（例えば、特許文献１参照）。
【０００３】
しかしながら、従来技術では、値下げラベル毎に１つの値下げ情報が表示されているため、商品や期間によって値下げ額や値下げ率を変える場合には、値下げ額や値下げ率等が異なる値下げ情報が表示されている複数の値下げラベルを予め用意しておく必要があり、管理が煩雑であるという問題点があった。
【０００４】
【特許文献１】特開２００２−１８２５６６号公報
【発明の開示】
【発明が解決しようとする課題】
【０００５】
本発明は斯かる問題点に鑑みてなされたものであり、その目的とするところは、複数の異なる値下げ額や値下げ率に対応することができ、管理が簡単である値下げラベルおよび値下げラベルの貼付方法を提供する点にある。
【課題を解決するための手段】
【０００６】
本発明は上記課題を解決すべく、以下に掲げる構成とした。
請求項１記載の発明の要旨は、商品タグに貼付する値下げラベルであって、裏面に粘着剤が塗布され、前記商品タグに貼付されるタグ貼付領域と、裏面に異なる複数の値下げ情報が互いに重ならないように上方から下方に向けて順次配列されて表示されている値下げ情報表示領域と、裏面に前記粘着剤が塗布され、前記値下げ情報表示領域に貼付することで複数の前記値下げ情報のいずれかを設定する情報設定貼付領域と、を順次具備するラベル基材を有し、前記商品タグに貼付する際に、前記情報設定貼付領域によって設定された前記値下げ情報のみが視認できる状態で貼付可能であることを特徴とする値下げラベルに存する。
また請求項２記載の発明の要旨は、設定する前記値下げ情報よりも下方に他の前記値下げ情報が配列されている場合には、前記情報設定貼付領域を設定する前記値下げ情報の直下の前記値下げ情報上に貼付させることで、設定する前記値下げ情報よりも下方に配列された前記値下げ情報を前記情報設定貼付領域と折り返された前記値下げ情報表示領域とによって隠すと共に、設定する前記値下げ情報よりも上方に他の前記値下げ情報が配列されている場合には、設定する前記値下げ情報よりも上方に配列された前記値下げ情報を前記商品タグによって隠すように前記タグ貼付領域を前記商品タグの裏面に貼付させることにより、前記情報設定貼付領域によって設定された前記値下げ情報のみが視認できる状態で前記商品タグに貼付可能であることを特徴とする請求項１記載の値下げラベルに存する。
また請求項３記載の発明の要旨は、前記値下げ情報表示領域は、前記ラベル基材の裏面に塗布された粘着剤および当該粘着剤に仮着されたセパレータを有し、前記セパレータに複数の前記値下げ情報が表示されていると共に、前記セパレータの隣接する前記値下げ情報間には、スリットが形成されていることを特徴とする請求項１記載の値下げラベルに存する。
また請求項４記載の発明の要旨は、前記値下げ情報表示領域には、透明性を有する透過部が設けられていると共に、透明な前記粘着剤が裏面に塗布されており、前記透過部を前記値下げ情報表示領域の裏面に表示された複数の前記値下げ情報のいずれかに重ねて貼付して設定することを特徴とする請求項１記載の値下げラベルに存する。
また請求項５記載の発明の要旨は、商品タグに貼付する値下げラベルの貼付方法であって、裏面に粘着剤が塗布され、前記商品タグに貼付されるタグ貼付領域と、裏面に異なる複数の値下げ情報が互いに重ならないように上方から下方に向けて順次配列されて表示されている値下げ情報表示領域と、裏面に前記粘着剤が塗布され、前記値下げ情報表示領域に貼付することで複数の前記値下げ情報のいずれかを設定する情報設定貼付領域と、を順次具備する前記値下げラベルを用い、下端部に形成されている前記情報設定貼付領域を裏面側に折り返して前記値下げ情報表示領域の裏面に貼付することで複数の前記値下げ情報のいずれかを設定し、前記情報設定貼付領域によって設定された前記値下げ情報のみが視認できる状態で前記商品タグに貼付することを特徴とする値下げラベルの貼付方法に存する。
【発明の効果】
【０００７】
本発明の値下げラベルおよび値下げラベルの貼付方法は、裏面に粘着剤が塗布され、商品タグに貼付されるタグ貼付領域と、裏面に異なる複数の値下げ情報が互いに重ならないように上方から下方に向けて順次配列されて表示されている値下げ情報表示領域と、裏面に粘着剤が塗布され、値下げ情報表示領域に貼付することで複数の値下げ情報のいずれかを設定する情報設定貼付領域と、を順次具備するラベル基材を設け、商品タグに貼付する際に、情報設定貼付領域によって設定された値下げ情報のみが視認できる状態で貼付するように構成することにより、ユーザが所望する値下げ額や値下げ率を、値下げ情報表示領域に表示されている複数の値下げ情報の中から設定して商品タグに付加することができるため、複数の異なる値下げ額や値下げ率に迅速に対応することができ、管理が簡単であるという効果を奏する。
【０００８】
さらに、本発明の値下げラベルおよび値下げラベルの貼付方法は、設定する値下げ情報よりも下方に他の値下げ情報が配列されている場合には、情報設定貼付領域を設定する値下げ情報の直下の値下げ情報上に貼付させることで、設定する値下げ情報よりも下方に配列された値下げ情報を情報設定貼付領域と折り返された値下げ情報表示領域とによって隠すと共に、設定する値下げ情報よりも上方に他の値下げ情報が配列されている場合には、設定する値下げ情報よりも上方に配列された値下げ情報を商品タグによって隠すようにタグ貼付領域を商品タグの裏面に貼付させることにより、情報設定貼付領域によって設定された値下げ情報のみが視認できる状態で商品タグに貼付するように構成することにより、情報設定貼付領域を裏面側に折り返して値下げ情報表示領域に貼付、タグ貼付領域を商品タグの裏面に貼付するという簡単な作業で、値下げ情報の設定を行うことができるという効果を奏する。
【０００９】
さらに、本発明の値下げラベルおよび値下げラベルの貼付方法は、値下げ情報表示領域に、ラベル基材の裏面に塗布された粘着剤および当該粘着剤に仮着されたセパレータを設け、値下げ情報表示領域において、セパレータに複数の値下げ情報を表示すると共に、セパレータの隣接する値下げ情報間には、スリットを形成するように構成することにより、必要としない値下げ情報を簡単に取り除くことができ、商品タグに設定した値下げ情報のみを確実に付加することができるという効果を奏する。
【００１０】
さらに、本発明の値下げラベルおよび値下げラベルの貼付方法は、値下げ情報表示領域に、透明性を有する透過部を設けると共に、透明な粘着剤を裏面に塗布し、透過部を値下げ情報表示領域の裏面に表示された複数の値下げ情報のいずれかに重ねて貼付して設定するように構成することにより、設定した値下げ情報を透過部で保護した状態で表示させることができるため、値下げ情報の改竄を確実に防止できるという効果を奏する。
【発明を実施するための最良の形態】
【００１１】
以下、本発明の実施の形態を図面に基づいて詳細に説明する。
【００１２】
（第１の実施の形態）
図１は、本発明に係る値下げラベルの第１の実施の形態の構成を示す図であり、（ａ）は、表面図、（ｂ）は、側面図であり、（ｃ）は、裏面図である。
【００１３】
第１の実施の形態の値下げラベル１は、商品名や価格等の商品表記が表示された商品タグに値下げ額、値下げ率等の値下げ情報を付加するために用いられ、商品タグに取り付けして使用される。値下げラベル１は、図１を参照すると、縦長のラベル基材２に、一端部側（図１に示す上端部側）からタグ貼付領域１１と、値下げ情報表示領域１２と、他端部側（図１に示す下端部側）の情報設定貼付領域１３とが順次形成されおり、タグ貼付領域１１と値下げ情報表示領域１２との間には、切断準備加工線３が形成されている。以下、本明細書では、タグ貼付領域１１が形成されている端部側を上方とし、情報設定貼付領域１３が形成されている端部側を下方として説明する。なお、切断準備加工線３は、タグ貼付領域１１から値下げ情報表示領域１２を分離するために部分的な切断による切断準備加工が施された線であり、切断準備加工としてミシン目が形成されている。また、切断準備加工は、連続するカット、ラベル基材２の厚みに対して部分的に切断を施した脆弱部等でも良い。
【００１４】
ラベル基材２は、不透明基材で構成されており、ポリエステル樹脂、ポリエチレン樹脂、ポリプロピレン樹脂等のフィルムや、ネーマ、合成紙等の二次加工フィルム、上質紙、コート紙、厚紙、含浸紙等の紙素材のもの、あるいは金属箔等、一般にラベルとして用いられる任意基材を用いることができる。なお、透明性を有するポリエステル樹脂、ポリエチレン樹脂、ポリプロピレン樹脂等のフィルムや、パラフィン紙等からなる透明基材を用いる場合には、全面印刷や染料等の着色剤を配合するとこで、不透明にして用いる必要がある。
【００１５】
タグ貼付領域１１は、ラベル基材２の裏面に粘着剤４が塗布されており、塗布された粘着剤４によって商品タグの裏面に貼付し、値下げラベル１を商品タグに取り付けるための領域であり、商品タグに一旦貼付した後の貼り替え防止するための切り込みであるタンパーカット５が施されている。なお、タンパーカット５の形状は、任意に設定することができる。また、タグ貼付領域１１の粘着剤４が塗布された裏面には、図示しないセパレータが仮着された状態で提供される。
【００１６】
粘着剤４としては、例えばエマルジョン系、ソルベント系、ホットメルト系のように任意の粘着剤が使用可能であると共に、素材も、アクリル系、ゴム系など任意である。
【００１７】
値下げ情報表示領域１２は、値下げ条件が異なる複数の値下げ情報６がラベル基材２の裏面に印刷されて表示されている領域であり、複数の値下げ情報６は、互いに重ならないように、上方から下方に向けて順次配列されている。なお、第１の実施の形態では、値下げ情報表示領域１２において、複数の値下げ情報６として、異なる値下げ率を示す「１０％ＯＦＦ」〜「９０％ＯＦＦ」を１０％間隔で順次値下げ率が大きくなるように表示するように構成したが、値下げ率の間隔や値下げ率の大小の順番等は、任意に設定できると共に、異なる値下げ額や異なる他の値下げ条件を順次表示するようにしても良い。
【００１８】
また、値下げ情報表示領域１２において、隣接する値下げ情報６間には、両側端から内側に向けて斜め下方に形成された部分的な切り込み７がそれぞれ形成されており、両側に位置するそれぞれの切り込み７の終端を結ぶ直線が、隣接する値下げ情報６間に位置するようになっている。
【００１９】
情報設定貼付領域１３は、ラベル基材２の裏面に粘着剤４が塗布され、塗布された粘着剤４によって値下げ情報表示領域１２の裏面に貼付することで、値下げ情報表示領域１２に表示されている複数の値下げ情報６の中から所望の値下げ情報６を設定するための領域であり、値下げ情報表示領域１２に一旦貼付した後の貼り替え防止するための切り込みであるタンパーカット５が施されている。また、情報設定貼付領域１３におけるラベル基材２の表面には、値引きを案内する案内情報８が印刷によって表示されており、案内情報８は、下端部側が上になるように表示されている。さらに、情報設定貼付領域１３の粘着剤４が塗布された裏面には、図示しないセパレータが仮着された状態で提供される。
【００２０】
次に、値下げラベル１の使用方法について図２乃至図５を参照して詳細に説明する。
図２は、本発明に係る値下げラベルの第１の実施の形態が値下げ情報「１０％ＯＦＦ」に設定された状態を示す図であり、（ａ）および（ｂ）は、裏面図であり、（ｃ）は、側面図である。図３は、本発明に係る値下げラベルの第１の実施の形態が値下げ情報「２０％ＯＦＦ」に設定された状態を示す図であり、（ａ）および（ｂ）は、裏面図であり、（ｃ）は、側面図である。図４は、本発明に係る値下げラベルの第１の実施の形態を値下げ情報「１０％ＯＦＦ」に設定して商品タグに取り付けた状態を示す説明図である。図５は、本発明に係る値下げラベルの第１の実施の形態を値下げ情報「２０％ＯＦＦ」に設定して商品タグに取り付けた状態を示す説明図である。
【００２１】
値下げラベル１を商品タグ９に取り付けるに先立って、情報設定貼付領域１３を裏面側に折り返し、図２（ａ）および図３（ａ）に示すように、情報設定貼付領域１３の粘着剤４が塗布されている裏面を、設定する値下げ情報６の直下に表示されている値下げ情報６に貼付させる。なお、図２（ａ）は、設定する値下げ情報６を「１０％ＯＦＦ」とし、「１０％ＯＦＦ」の直下の値下げ情報６である「２０％ＯＦＦ」に情報設定貼付領域１３を貼付した状態を、図３（ａ）は、設定する値下げ情報６を「２０％ＯＦＦ」とし、「２０％ＯＦＦ」の直下の値下げ情報６である「３０％ＯＦＦ」に情報設定貼付領域１３を貼付した状態をそれぞれ示している。また、設定した値下げ情報６の直下には、情報設定貼付領域１３の表面が位置し、情報設定貼付領域１３の表面の案内情報８は、値下げ情報６と同じ向き、すなわちタグ貼付領域１１が形成されている上端部側が上になる向きで表示される。
【００２２】
次に、図２（ｂ）、（ｃ）および図３（ｂ）、（ｃ）に示すように、折り返した値下げ情報表示領域１２に折り目を付け、設定する値下げ情報６よりも下方、すなわち情報設定貼付領域１３よりに位置する値下げ情報６を目視できない状態にする。ラベル基材２は、不透明であるため、設定する値下げ情報６よりも下方に位置する他の値下げ情報６は、折り返されたラベル基材２に挟まれた状態となり、表面からも裏面からも目視することができないようになる。すなわち、値下げ情報表示領域１２において、最も下方に位置する値下げ情報６（９０％ＯＦＦ）以外の値下げ情報６（１０〜８０％ＯＦＦ）を設定する際には、設定する値下げ情報６よりも下方に他の値下げ情報６が配列されていることになり、設定する値下げ情報６よりも下方に位置する他の値下げ情報６が折り返されたラベル基材２によって隠される。
【００２３】
次に、図４（ａ）、（ｂ）および図５（ａ）、（ｂ）に示すように、設定した値下げ情報６が商品タグ９の直下に位置するように、商品に吊り下げられている商品タグ９の裏面に値下げラベル１のタグ貼付領域１１を貼付する。図４（ａ）、（ｂ）を参照すると、設定された値下げ情報６である「１０％ＯＦＦ」が商品タグ９の直下に位置するように取り付けられており、設定した値下げ情報６「１０％ＯＦＦ」が商品タグ９に付加されている。
【００２４】
また、図５（ａ）、（ｂ）を参照すると、設定された値下げ情報６である「２０％ＯＦＦ」が商品タグ９の直下に位置するように、すなわち設定された値下げ情報６の上方に位置する値下げ情報６が商品タグ９の裏面に隠れるように取り付けられており、設定した値下げ情報６「２０％ＯＦＦ」が商品タグ９に付加されている。なお、設定した値下げ情報６よりも上方に位置する他の値下げ情報６が存在する場合には、図５に示すように、設定した値下げ情報６（２０％ＯＦＦ）よりも上方に位置する他の値下げ情報６（１０％ＯＦＦ）は、商品タグ９の裏面に隠されることになるが、設定した値下げ情報６（２０％ＯＦＦ）と直上の値下げ情報６（１０％ＯＦＦ）との間に形成されている切り込み７に商品タグ９の下端を挟み込むことによって、商品タグ９に取り付けた値下げラベル１が捲れて設定した値下げ情報６（２０％ＯＦＦ）よりも上方に位置する値下げ情報６（１０％ＯＦＦ）が見えてしまうことを防止できるようになっている。すなわち、値下げ情報表示領域１２において、最も上方に位置する値下げ情報６（１０％ＯＦＦ）以外の値下げ情報６（２０〜９０％ＯＦＦ）を設定する際には、設定する値下げ情報６よりも上方に他の値下げ情報６が配列されていることになり、設定する値下げ情報６よりも上方に位置する他の値下げ情報６を商品タグの裏面により隠し、設定した値下げ情報６と直上の値下げ情報６との間に形成されている切り込み７に商品タグ９の下端を挟み込む。
【００２５】
また、タグ貼付領域１１にタンパーカット５が形成されているため、商品タグ９から値下げラベル１を取り外し、他の商品タグ９に付け替える行為を防止することができると共に、情報設定貼付領域１３にタンパーカット５が形成されているため、情報設定貼付領域１３を値下げ情報表示領域１２から一旦剥がして、他の値下げ情報６に設定し直す行為を防止できるようになっている。
【００２６】
値下げ期間終了等で値下げラベル１を商品タグ９から取り外す場合には、図４（ｃ）および図５（ｃ）に示すように、切断準備加工線３を切断することによって、商品タグ９の裏面に貼付されているタグ貼付領域１１から値下げ情報表示領域１２および情報設定貼付領域１３を取り除く。これにより、商品タグ９に付加されていた値下げ情報は、取り除かれ、以前の商品タグ９の状態に簡単に復帰させることができる。
【００２７】
なお、第１の実施の形態では、タグ貼付領域１１および情報設定貼付領域１３の裏面に粘着剤４を塗布するように構成したが、値下げ情報表示領域１２の裏面にも粘着剤４を塗布しても良く、この場合には、値下げ情報表示領域１２の裏面も商品タグ９に貼付されるため、商品タグ９に取り付けた値下げラベル１が捲れて設定した値下げ情報６よりも上方に位置する値下げ情報６が見えてしまうことがなく、値下げ情報表示領域１２に形成した切り込み７を設ける必要がなくなると共に、情報設定貼付領域１３を折り返した際に粘着剤４同士が貼り合わされるため、設定した値下げ情報６の張り替えが防止でき、情報設定貼付領域１３に形成したタンパーカット５を設ける必要がなくなる。
【００２８】
以上説明したように、第１の実施の形態によれば、裏面に粘着剤４が塗布され、商品タグ９に貼付されるタグ貼付領域１１と、裏面に異なる複数の値下げ情報６が互いに重ならないように上方から下方に向けて順次配列されて表示されている値下げ情報表示領域１２と、裏面に粘着剤４が塗布され、値下げ情報表示領域１２に貼付することで複数の値下げ情報６のいずれかを設定する情報設定貼付領域１３と、を順次具備するラベル基材２を設け、商品タグ９に貼付する際に、情報設定貼付領域１３によって設定された値下げ情報６のみが視認できる状態で貼付するように構成することにより、ユーザが所望する値下げ額や値下げ率を、値下げ情報表示領域１２に表示されている複数の値下げ情報６の中から設定して商品タグ９に付加することができるため、複数の異なる値下げ額や値下げ率に対応することができ、管理が簡単であるという効果を奏する。
【００２９】
さらに、第１の実施の形態によれば、設定する値下げ情報６よりも下方に他の値下げ情報６が配列されている場合には、情報設定貼付領域１３を設定する値下げ情報６の直下の値下げ情報６上に貼付させることで、設定する値下げ情報６よりも下方に配列された値下げ情報６を情報設定貼付領域１３と折り返された値下げ情報表示領域１２とによって隠すと共に、設定する値下げ情報６よりも上方に他の値下げ情報６が配列されている場合には、設定する値下げ情報６よりも上方に配列された値下げ情報６を商品タグ９によって隠すようにタグ貼付領域１１を商品タグ９の裏面に貼付させることにより、情報設定貼付領域１３によって設定された値下げ情報６のみが視認できる状態で商品タグ９に貼付するように構成することにより、情報設定貼付領域１３を裏面側に折り返して値下げ情報表示領域１２に貼付し、タグ貼付領域１１を商品タグ９の裏面に貼付するという簡単な作業で、値下げ情報の設定を行うことができるという効果を奏する。
【００３０】
（第２の実施の形態）
図６は、本発明に係る値下げラベルの第２の実施の形態の構成を示す図であり、（ａ）は、表面図、（ｂ）は、側面図であり、（ｃ）は、裏面図である。なお、第２の実施の形態の説明において、第１の実施の形態と同一の構成については、同一の符号を付し、説明を省略する。
【００３１】
第２の実施の形態の値下げラベル２０は、図６を参照すると、縦長のラベル基材２１と、ラベル基材２１の裏面に塗布された粘着剤４によって、ラベル基材２１の裏面に仮着されたセパレータ２２とからなり、一端部側（図６に示す上端部側）からタグ貼付領域１１と、値下げ情報表示領域１２と、他端部側（図６に示す下端部側）の情報設定貼付領域１３とが順次形成され、タグ貼付領域１１と値下げ情報表示領域１２との間の、ラベル基材２１には、切断準備加工線３が、セパレータ２２には、セパレータ２２を幅方向で切断するスリット２３がそれぞれ形成されている。
【００３２】
ラベル基材２１は、不透明基材で構成されており、ポリエステル樹脂、ポリエチレン樹脂、ポリプロピレン樹脂等のフィルムや、ネーマ、合成紙等の二次加工フィルム、上質紙、コート紙、厚紙、含浸紙等の紙素材のもの、あるいは金属箔等、一般にラベルとして用いられる任意基材を用いることができる。なお、透明性を有するポリエステル樹脂、ポリエチレン樹脂、ポリプロピレン樹脂等のフィルムや、パラフィン紙等からなる透明基材を用いる場合には、全面印刷や染料等の着色剤を配合するとこで、不透明にして用いる必要がある。
【００３３】
タグ貼付領域１１は、裏面に塗布された粘着剤４によって商品タグ９の裏面に貼付し、値下げラベル１を商品タグ９に取り付けるための領域であり、ラベル基材２１には、タンパーカット５が施されている。
【００３４】
値下げ情報表示領域１２は、値下げ条件が異なる複数の値下げ情報６がセパレータ２２に印刷されて表示されている領域であり、複数の値下げ情報６は、互いに重ならないように、上方から下方に向けて順次配列されて印字されている。セパレータ２２において、各値下げ情報６の上下には、スリット２３がそれぞれ形成されており、各値下げ情報６は、上下に形成されたスリット２３によって分断された領域に表示されている。また、値下げ情報表示領域１２において、ラベル基材２１の隣接する値下げ情報６間には、切断準備加工線３が形成されている。
【００３５】
情報設定貼付領域１３は、値下げ情報表示領域１２の裏面に貼付することで、値下げ情報表示領域１２に表示されている複数の値下げ情報６の中から所望の値下げ情報６を設定するための領域であり、値下げ情報表示領域１２の裏面に貼付した際に、設定する値下げ情報６が表示されているセパレータ２２を固定するための固定アーム２４が下端の両サイドから下方に延出してそれぞれ形成されている。また、情報設定貼付領域１３におけるラベル基材２１の表面には、値引きを案内する案内情報８が印刷によって表示されており、案内情報８は、下端部側が上になるように表示されている。
【００３６】
次に、値下げラベル２０の使用方法について図７および図８を参照して詳細に説明する。
図７は、本発明に係る値下げラベルの第２の実施の形態が値下げ情報「４０％ＯＦＦ」に設定された状態を示す図であり、（ａ）および（ｂ）は、裏面図であり、（ｃ）は、側面図である。図８は、本発明に係る値下げラベルの第２の実施の形態を値下げ情報「４０％ＯＦＦ」に設定して商品タグに取り付けた状態を示す説明図である。
【００３７】
値下げラベル２０を商品タグ９に取り付けるに先立って、図７（ａ）に示すように、設定する値下げ情報６（４０％ＯＦＦ）が表示されているセパレータ２２の箇所のみを残し、他のセパレータ２２を取り除く。各値下げ情報６が表示されているセパレータ２２の領域の上下には、スリット２３がそれぞれ形成されているため、設定する値下げ情報６が表示されているセパレータ２２の箇所以外を簡単に取り除くことができる。なお、第２の実施の形態では、スリット２３を形成するようにしたが、スリット２３の代わりに切断準備加工線３を形成するようにしても良い。
【００３８】
次に、情報設定貼付領域１３を裏面側に折り返し、図７（ｂ）、（ｃ）に示すように、固定アーム２４によって設定する値下げ情報６（４０％ＯＦＦ）が表示されているセパレータ２２を固定するように、情報設定貼付領域１３の粘着剤４が塗布されている裏面を、値下げ情報表示領域１２の裏面に貼付する。なお、固定アーム２４は、設定する値下げ情報６の表示を妨げない形状になっている。なお、図７（ａ）は、設定する値下げ情報６を「４０％ＯＦＦ」とし、「４０％ＯＦＦ」が表示されているセパレータ２２の箇所のみを残し、他のセパレータ２２を取り除いた状態を、図７（ｂ）、（ｃ）は、固定アーム２４によって「４０％ＯＦＦ」が表示されているセパレータ２２が固定され、折り返した情報設定貼付領域１３の裏面に塗布されている粘着剤４同士が貼り合わされている状態をそれぞれ示している。
【００３９】
次に、図８（ａ）、（ｂ）に示すように、設定した値下げ情報６が商品タグ９の直下に位置するように、商品に吊り下げられている商品タグ９の裏面に値下げラベル２０のタグ貼付領域１１の粘着剤４が塗布されている裏面を貼付する。図８（ａ）、（ｂ）を参照すると、設定された値下げ情報６である「４０％ＯＦＦ」が商品タグ９の直下に位置するように取り付けられている。
【００４０】
値下げ期間終了等で値下げラベル２０を商品タグ９から取り外す場合には、図８（ｃ）に示すように、設定した値下げ情報６の上方に位置する切断準備加工線３を切断することによって、商品タグ９の裏面に貼付されているタグ貼付領域１１から値下げ情報表示領域１２および情報設定貼付領域１３を取り除く。これにより、商品タグ９に付加されていた値下げ情報６は、取り除かれ、以前の商品タグ９の状態に簡単に復帰させることができる。
【００４１】
以上説明したように、第２の実施の形態によれば、値下げ情報表示領域１２に、ラベル基材２１の裏面に塗布された粘着剤４および当該粘着剤４に仮着されたセパレータ２２を設け、セパレータ２２に複数の値下げ情報６を表示すると共に、セパレータ２２の隣接する値下げ情報６間には、スリット２３を形成するように構成することにより、必要としない値下げ情報６を簡単に取り除くことができ、商品タグ９に設定した値下げ情報のみを確実に付加することができるという効果を奏する。
【００４２】
（第３の実施の形態）
図９は、本発明に係る値下げラベルの第３の実施の形態の構成を示す図であり、（ａ）は、表面図、（ｂ）は、側面図であり、（ｃ）は、裏面図である。なお、第３の実施の形態の説明において、第１の実施の形態と同一の構成については、同一の符号を付し、説明を省略する。
【００４３】
第３の実施の形態の値下げラベル３０は、図９を参照すると、裏面に透明な粘着剤３１が塗布された縦長のラベル基材３２に、一端部側（図１に示す上端部側）からタグ貼付領域１１と、値下げ情報表示領域１２と、他端部側（図１に示す下端部側）の情報設定貼付領域１３とが順次形成されおり、タグ貼付領域１１と値下げ情報表示領域１２との間には、切断準備加工線３が形成されている。なお、ラベル基材３２の粘着剤３１が塗布された裏面には、図示しないセパレータが仮着された状態で提供される。
【００４４】
透明な粘着剤３１としては、アクリル系粘着剤がもっとも一般的であるが、他にスチレン−ブタジエンゴム系粘着剤、クロロプレンゴム系粘着剤、オレフィンゴム系粘着剤、ウレタン系粘着剤、シリコーン系粘着剤などを使用することができる。
【００４５】
ラベル基材３２は、透明性を有するポリエステル樹脂、ポリエチレン樹脂、ポリプロピレン樹脂等のフィルムや、パラフィン紙等からなる透明基材で構成されている。
【００４６】
タグ貼付領域１１は、商品タグ９の裏面に貼付し、値下げラベル３０を商品タグ９に取り付けるための領域であり、商品タグ９に一旦貼付した後の貼り替え防止するための切り込みであるタンパーカット５が施されている。なお、タンパーカット５の形状は、任意に設定することができる。
【００４７】
値下げ情報表示領域１２は、値下げ条件が異なる複数の値下げ情報６がラベル基材３２の裏面に印刷されて表示されていると共に、値下げ情報６が表面から視認できないように、透過防止印刷３３がラベル基材３２の表面に印刷されている領域であり、複数の値下げ情報６は、互いに重ならないように、上方から下方に向けて順次配列されている。ラベル基材３２の隣接する値下げ情報６間には、切断準備加工線３が形成されている。なお、透過防止印刷３３をラベル基材３２の裏面に印刷し、透過防止印刷３３上に値下げ情報６を印刷によって表示するようにしても良い。
【００４８】
情報設定貼付領域１３は、裏面に塗布された粘着剤３１によって値下げ情報表示領域１２の裏面に貼付することで、値下げ情報表示領域１２に表示されている複数の値下げ情報６の中から所望の値下げ情報６を設定するための領域であり、設定する値下げ情報６上に貼付される透過部３４と、ラベル基材３２の表面に印刷された透過防止印刷３３上に、案内情報８が印刷により表示されている領域とからなる。なお、案内情報８は、下端部側が上になるように表示されている。また、透過部３４の面積は、１つの値下げ情報６に対応して同一面積で設定されており、貼付した値下げ情報６のみが透過して視認されるようになっている。
【００４９】
次に、値下げラベル３０の使用方法について図１０および図１１を参照して詳細に説明する。
図１０は、本発明に係る値下げラベルの第２の実施の形態が値下げ情報「３０％ＯＦＦ」に設定された状態を示す図であり、（ａ）および（ｂ）は、裏面図であり、（ｃ）は、側面図である。図１１は、本発明に係る値下げラベルの第３の実施の形態を値下げ情報「３０％ＯＦＦ」に設定して商品タグに取り付けた状態を示す説明図である。
【００５０】
値下げラベル３０を商品タグ９に取り付けるに先立って、情報設定貼付領域１３を裏面側に折り返し、図１０（ａ）、（ｂ）に示すように、設定する値下げ情報６上に位置するように、すなわち設定する値下げ情報６上に重ねて、情報設定貼付領域１３における透過部３４を値下げ情報表示領域１２に貼付させ、それに伴って折り返された値下げ情報表示領域１２の裏面同士を貼り合わせる。なお、図１０（ａ）、（ｂ）は、設定する値下げ情報６を「３０％ＯＦＦ」とし、「３０％ＯＦＦ」上に透過部３４が位置するように情報設定貼付領域１３を貼付した状態を示しており、透過部３４を通して、設定した値下げ情報６である「３０％ＯＦＦ」を視認できるようになっている。また、設定した値下げ情報６の直下には、情報設定貼付領域１３の表面が位置し、情報設定貼付領域１３の表面の案内情報８は、値下げ情報６と同じ向き、すなわちタグ貼付領域１１が形成されている上端部側が上になる向きで表示される。
【００５１】
次に、図１１（ｂ）、（ｃ）に示すように、設定した値下げ情報６が商品タグ９の直下に位置するように、商品に吊り下げられている商品タグ９の裏面に値下げラベル３０のタグ貼付領域１１の粘着剤３１が塗布されている裏面を貼付する。図１１（ｂ）、（ｃ）を参照すると、設定された値下げ情報６である「３０％ＯＦＦ」が商品タグ９の直下に位置するように取り付けられており、設定した値下げ情報６「３０％ＯＦＦ」が商品タグ９に付加されている。
【００５２】
値下げ期間終了等で値下げラベル３０を商品タグ９から取り外す場合には、図１１（ｃ）に示すように、設定した値下げ情報６の上方に位置する切断準備加工線３を切断することによって、商品タグ９の裏面に貼付されているタグ貼付領域１１から値下げ情報表示領域１２および情報設定貼付領域１３を取り除く。これにより、商品タグ９に付加されていた値下げ情報６は、取り除かれ、以前の商品タグ９の状態に簡単に復帰させることができる。
【００５３】
以上説明したように、第３の実施の形態によれば、値下げ情報表示領域１２に、透明性を有する透過部３４を設けると共に、透明な粘着剤３１を裏面に塗布し、透過部３４を値下げ情報表示領域１２の裏面に表示された複数の値下げ情報６のいずれかに重ねて貼付して設定するように構成することにより、設定した値下げ情報６を透過部３４で保護した状態で表示させることができるため、値下げ情報６の改竄を確実に防止できるという効果を奏する。
【００５４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００５５】
【図１】本発明に係る値下げラベルの第１の実施の形態の構成を示す図であり、（ａ）は、表面図、（ｂ）は、側面図であり、（ｃ）は、裏面図である。
【図２】本発明に係る値下げラベルの第１の実施の形態が値下げ情報「１０％ＯＦＦ」に設定された状態を示す図であり、（ａ）および（ｂ）は、裏面図であり、（ｃ）は、側面図である。
【図３】本発明に係る値下げラベルの第１の実施の形態が値下げ情報「２０％ＯＦＦ」に設定された状態を示す図であり、（ａ）および（ｂ）は、裏面図であり、（ｃ）は、側面図である。
【図４】本発明に係る値下げラベルの第１の実施の形態を値下げ情報「１０％ＯＦＦ」に設定して商品タグに取り付けた状態を示す説明図である。
【図５】本発明に係る値下げラベルの第１の実施の形態を値下げ情報「２０％ＯＦＦ」に設定して商品タグに取り付けた状態を示す説明図である。
【図６】本発明に係る値下げラベルの第２の実施の形態の構成を示す図であり、（ａ）は、表面図、（ｂ）は、側面図であり、（ｃ）は、裏面図である。
【図７】本発明に係る値下げラベルの第２の実施の形態が値下げ情報「４０％ＯＦＦ」に設定された状態を示す図であり、（ａ）および（ｂ）は、裏面図であり、（ｃ）は、側面図である。
【図８】本発明に係る値下げラベルの第２の実施の形態を値下げ情報「４０％ＯＦＦ」に設定して商品タグに取り付けた状態を示す説明図である。
【図９】本発明に係る値下げラベルの第３の実施の形態の構成を示す図であり、（ａ）は、表面図、（ｂ）は、側面図であり、（ｃ）は、裏面図である。
【図１０】本発明に係る値下げラベルの第２の実施の形態が値下げ情報「３０％ＯＦＦ」に設定された状態を示す図であり、（ａ）および（ｂ）は、裏面図であり、（ｃ）は、側面図である。
【図１１】本発明に係る値下げラベルの第３の実施の形態を値下げ情報「３０％ＯＦＦ」に設定して商品タグに取り付けた状態を示す説明図である。
【符号の説明】
【００５６】
１  値下げラベル
２  ラベル基材
３  切断準備加工線
４  粘着剤
５  タンパーカット
６  値下げ情報
７  切り込み
８  案内情報
９  商品タグ
１１  タグ貼付領域
１２  値下げ情報表示領域
１３  情報設定貼付領域
２０  値下げラベル
２１  ラベル基材
２２  セパレータ
２３  スリット
２４  固定アーム
３０  値下げラベル
３１  粘着剤
３２  ラベル基材
３３  透過防止印刷
３４  透過部
【図１】
2008216888.tif 000003
【図２】
2008216888.tif 000004
【図３】
2008216888.tif 000005
【図４】
2008216888.tif 000006
【図５】
2008216888.tif 000007
【図６】
2008216888.tif 000008
【図７】
2008216888.tif 000009
【図８】
2008216888.tif 000010
【図９】
2008216888.tif 000011
【図１０】
2008216888.tif 000012
【図１１】
2008216888.tif 000013